(57)【要約】【課題】加熱室内のお手入れ性が良好でかつ、本体寸法を小さく抑える。【解決手段】加熱室の天面１０と左側面８、右側面９とを緩やかに繋ぐ曲げ部１１、１２を設け、曲げ部によって前板６の面積が広がり、ここに安全スイッチ１９の孔部を配置することによって、孔部を配置するために前板６の幅を広げる必要がなくなり、本体寸法を小さくすることができる、また天面と側面との接合部に食材の破片などの塵がたまりにくく、布巾などのお手入れ用具が届きやすくなる。【選択図】図７
2014206338.tif 000002
【特許請求の範囲】
【請求項１】
一面に開口部を有し被加熱物を収納する加熱室と、
前記加熱室の外周に空間部を形成して前記加熱室を覆う外箱と、
前記加熱室の開口部を開閉可能な扉と、
前記扉と対向し前記開口部と前記外箱との間に配された前板と、
前記扉の前記前板に対向する位置に配された電波シール部と、
前記加熱室に高周波を供給して前記被加熱物を加熱する高周波発生手段と、
前記高周波発生手段の運転を制御する安全スイッチと、
前記扉を閉じた時に前記安全スイッチを動作させ、前記前板および前記扉のうちの少なくとも一方またはその双方に形成されたピンと、
前記ピンを移動可能とし前記前板に形成された孔部と、
前記加熱室を形成する天面と側面とを緩やかに繋ぐ曲げ部とを設け、
前記曲げ部と前記外箱との間の前記前板に前記孔部を配置した高周波加熱装置。
【請求項２】
前記電波シール部に対向するシール面を前記前板の前記開口部側に配置し、前記孔部を前記前板の前記外箱側に配置した請求項１に記載の高周波加熱装置。
【請求項３】
前記シール面は、
前記天面と平行に配されたシール面の第１の外側線と、
前記側面と平行に配されたシール面の第２の外側線と、
前記曲げ部と平行に配されたシール面の第３の外側線とを有し、
前記第１の外側線と前記第２の外側線との延長交線と、前記第３の外側線とで囲まれる領域に少なくとも前記孔部の一部を配置した請求項２に記載の高周波加熱装置。
【請求項４】
前記電波シール部は、一部が前記開口部より前記加熱室の内面に沿って突出した突出部を備えた請求項１から３のいずれか１項に記載の高周波加熱装置。
【発明の詳細な説明】
【技術分野】
【０００１】
本発明は、電子レンジ等の高周波加熱装置に関し、特に加熱室を開閉する扉の開閉に対応して高周波の発振を制御し得る高周波加熱装置に関するものである。
【背景技術】
【０００２】
従来、高周波によって食品等の被加熱物を加熱する高周波加熱装置の一種である電子レンジでは、食品が加熱される加熱室から高周波が漏洩することを防止するための安全装置が装備されている。
【０００３】
この安全装置は、例えば、加熱室を開閉する扉の開閉に対応して高周波の発振を制御するようになっており、扉が加熱室を閉鎖している場合にのみ高周波が発振され、扉が加熱室を開放した場合には、高周波の発振は停止されるように構成されていた（例えば、特許文献１参照）。
【０００４】
図１０は、特許文献１に記載された従来の高周波加熱装置の右側に機械室を備えた構成の斜視図であり、電子レンジ本体１００の外観を示している。加熱室１０１を扉１０２が閉じた時に、扉１０２に設けられた第１のピン１０３と第２のピン１０４により、本体１００内蔵の安全スイッチ（図示せず）を作動させて、加熱室１０１に高周波を発振可能にしている。なお、第１のピン１０３と第２のピン１０４の二つのピンにより安全スイッチを作動させることにより２重安全構成としている。
【０００５】
特許文献１では、電子レンジ本体１００右側に操作部１０５や機械室を備えた構成としているが、近年加熱室が大型化した機種もあり、機械室を本体下部に配置して、本体横幅を抑えた電子レンジが普及してきている（例えば、特許文献２参照）。
【０００６】
図１１は、従来の高周波加熱装置の機械室を本体下部に備えた構成の斜視図であり、このタイプの電子レンジの外観を示している。図１２は従来の高周波加熱装置の扉を閉じた状態の第１のピン周辺の部分断面図を示す。
【０００７】
図１１、図１２に示すように、加熱室１１０の右側面１１１と外箱１１２との隙間に安全スイッチ１１３を内蔵させて、扉１１４が閉じられた場合に、この扉１１４に設けられた第１のピン１１５と第２のピン１１６により、安全スイッチ１１３を作動するように構成している。
【０００８】
安全スイッチ１１３の前面の前板１１７には、第１のピン１１５と第２のピン１１６が前板１１７を貫通する第１の孔１１８と第２の孔１１９が設けられ、扉１１４が閉じた時に、第１のピン１１５と第２のピン１１６が安全スイッチ１１３を直接駆動するように構成している。
【先行技術文献】
【特許文献】
【０００９】
【特許文献１】特許第３６５３９６８号公報
【特許文献２】特開２００９−２５０４９２号公報
【発明の概要】
【発明が解決しようとする課題】
【００１０】
しかしながら、上記従来の構成では、加熱室１１０を構成する右側面１１１、左側面１
２０、天面１２１、底面１２２のそれぞれ平板同志を接合または、直角に折り曲げているため、鋭い角部が形成され、食材の破片などの塵がたまりやすく、布巾などのお手入れ用具が届きにくく掃除性も悪い状態であった。
【００１１】
また、扉１１４には、扉１１４を閉めた状態で前板１１７と対向する位置に電波シール部１２３が配されている。電波漏れを防止するため前板１１７の電波シール部と対向するシール面（幅Ａの範囲）は、金属面とし、第１の孔１１８と第２の孔１１９などの開口部を配置することができない。
【００１２】
したがって、前板１１７の加熱室１１０側は電波シールに必要なシール面の幅Ａで占められるので、前板１１７外箱１１２側に、第１の孔１１８と第２の孔１１９などの開口部を配置することになる。そのため前板１１７の幅Ｂは、シール面の幅Ａと、開口部としての必要寸法との和より小さくすることができなかった。
【００１３】
本発明は、前記従来の課題を解決するものであり、加熱室内のお手入れ性が良好でかつ、本体寸法を小さくすることができる高周波加熱装置を提供することを目的とする。
【課題を解決するための手段】
【００１４】
前記従来の課題を解決するために、本発明の高周波加熱装置は、一面に開口部を有し被加熱物を収納する加熱室と、前記加熱室の外周に空間部を形成して前記加熱室を覆う外箱と、前記加熱室の開口部を開閉可能な扉と、前記扉と対向し前記開口部と前記外箱との間に配された前板と、前記扉の前記前板に対向する位置に配された電波シール部と、前記加熱室に高周波を供給して前記被加熱物を加熱する高周波発生手段と、前記高周波発生手段の運転を制御する安全スイッチと、前記扉を閉じた時に前記安全スイッチを動作させ、前記前板および前記扉のうちの少なくとも一方またはその双方に形成されたピンと、前記ピンを移動可能とし前記前板に形成された孔部と、前記加熱室を形成する天面と側面とを緩やかに繋ぐ曲げ部とを設け、前記曲げ部と前記外箱との間の前記前板に前記孔部を配置した構成としている。
【００１５】
上記構成により、加熱室の天面と側面とを緩やかに繋ぐ曲げ部とを設けたので、天面と側面との接合部に食材の破片などの塵がたまりにくく、布巾などのお手入れ用具が届きやすくなる。また、曲げ部によって曲げ部と外箱との間の前板の面積が広がり、ここに孔部を配置することによって、孔部を配置するために前板の幅を広げる必要がなくなる。
【発明の効果】
【００１６】
本発明の高周波加熱装置は、加熱室内のお手入れ性が良好でかつ、本体寸法を小さく抑えることができる。
【図面の簡単な説明】
【００１７】
【図１】本発明の実施の形態１における高周波加熱装置の斜視図
【図２】本発明の実施の形態１における高周波加熱装置の正面断面図
【図３】本発明の実施の形態１における高周波加熱装置の安全装置を示す部分断面図
【図４】本発明の実施の形態１における高周波加熱装置の回路図
【図５】本発明の実施の形態１における高周波加熱装置の電波シール部を示す部分断面図
【図６】本発明の実施の形態１における高周波加熱装置の電波シール部の部分断面斜視図
【図７】本発明の実施の形態１における高周波加熱装置の前板の曲げ部周辺の部分拡大図
【図８】本発明の実施の形態２における高周波加熱装置の前板の曲げ部周辺の部分拡大図
【図９】本発明の実施の形態３における高周波加熱装置の前板の曲げ部周辺の部分拡大図
【図１０】従来の高周波加熱装置の右側に機械室を備えた構成の斜視図
【図１１】従来の高周波加熱装置の機械室を本体下部に備えた構成の斜視図
【図１２】従来の高周波加熱装置の扉を閉じた状態の第１のピン周辺の部分断面図
【発明を実施するための形態】
【００１８】
第１の発明の高周波加熱装置は、一面に開口部を有し被加熱物を収納する加熱室と、前記加熱室の外周に空間部を形成して前記加熱室を覆う外箱と、前記加熱室の開口部を開閉可能な扉と、前記扉と対向し前記開口部と前記外箱との間に配された前板と、前記扉の前記前板に対向する位置に配された電波シール部と、前記加熱室に高周波を供給して前記被加熱物を加熱する高周波発生手段と、前記高周波発生手段の運転を制御する安全スイッチと、前記扉を閉じた時に前記安全スイッチを動作させ、前記前板および前記扉のうちの少なくとも一方またはその双方に形成されたピンと、前記ピンを移動可能とし前記前板に形成された孔部と、前記加熱室を形成する天面と側面とを緩やかに繋ぐ曲げ部とを設け、前記曲げ部と前記外箱との間の前記前板に前記孔部を配置した構成としている。
【００１９】
上記構成により、加熱室の天面と側面とを緩やかに繋ぐ曲げ部を設けたので、天面と側面との直角な接合部がなくなり食材の破片などの塵がたまりにくくなる。また、この部位に布巾などのお手入れする際に、用具が隅まで届きやすくなるのでお手入れ性が向上する。また、曲げ部によって曲げ部と外箱との間の前板の面積が広がり、ここに孔部を配置するので、孔部を配置するために前板の幅を広げる必要がなくなる。したがって前板の幅が小さくでき、本体を小型化することができる。
【００２０】
第２の発明の高周波加熱装置は、特に、第１の発明において、前記電波シール部に対向するシール面を前記前板の前記開口部側に配置し、前記孔部を前記前板の前記外箱側に配置した構成としている。
【００２１】
上記構成により、曲げ部によって広がる前板に、電波シールに必要なシール面を確保しつつ、シール面より外箱側に形成されるスペースに穴部を配置するので、電波シール性能を確保してかつ前板の幅を小さくすることができる。
【００２２】
第３の発明の高周波加熱装置は、特に、第２の発明のシール面は、前記天面と平行に配されたシール面の第１の外側線と、前記側面と平行に配されたシール面の第２の外側線と、前記曲げ部と平行に配されたシール面の第３の外側線とを有し、前記第１の外側線と前記第２の外側線との延長交線と、前記第３の外側線とで囲まれる領域に少なくとも前記孔部の一部を配置したものである。また、望ましくは前記領域内に孔部を配置するのが好ましい。
【００２３】
これにより、前板の幅がシール面の幅と同等となっても孔部を配置できるようになるので、孔部を意識せずに前板幅を設定することができるので、設計の自由度が飛躍的に向上する。
【００２４】
第４の発明の高周波加熱装置は、特に、第１から３のいずれか１つの発明に記載の電波シール部は、一部が前記開口部より前記加熱室の内面に沿って突出した突出部を備えている。
【００２５】
一般に電波シールを行う場合、加熱室内からの扉の隙間を漏れ出ようとする電波をチョーク構造に導く前に、狭い隙間を構成して電波を減衰させている。この減衰を前板表面上
で行うと、前板表面に広いスペースが必要となるため、前板の幅を小さくする場合に不利となる。そこで、開口部より加熱室の内面に沿って突出した突出部を構成することで、加熱室内面と突出部の間で、電波が減衰される。したがって、前板での減衰に必要な面積を小さくすることができる。また、この突出部を構成する際に、曲げ部によって側面と天面とが緩やかに繋がっているので、曲げ部に沿う前記突出部も緩やかな形状とすることができ、板金の絞り加工で成型する場合に、加工性が良くなる。
【００２６】
以下、本発明の実施の形態について、図面を参照しながら説明する。なお、この実施の形態によって本発明が限定されるものではない。
【００２７】
（実施の形態１）
図１は、本発明の実施の形態１における高周波加熱装置の斜視図、図２は、本発明の実施の形態１における高周波加熱装置の正面断面図、図３は、本発明の実施の形態１における高周波加熱装置の安全装置を示す部分断面図、図４は、本発明の実施の形態１における高周波加熱装置の回路図、図５は、本発明の実施の形態１における高周波加熱装置の電波シール部を示す部分断面図、図６は、本発明の実施の形態１における高周波加熱装置の電波シール部の部分断面斜視図、図７は、本発明の実施の形態１における高周波加熱装置の前板の曲げ部周辺の部分拡大図である。以降、図１〜図７を適宜参照しつつ説明する。
【００２８】
図１に示すように、代表的な高周波加熱装置である電子レンジ１は、前面解放の箱形の外箱２の内部に加熱室３が形成され、外箱２の前面には加熱室３に代表的な非加熱物である食品（図示せず）を収納可能に開口部４を開閉する扉５が開閉自在に取付られている。
【００２９】
扉５を閉じた際に、この扉５と対向し開口部４と外箱２との間には前板６が配されている。
【００３０】
加熱室３を形成する底面７、左側面８、右側面９、天面１０のそれぞれの接合部は、緩やかに繋がる曲げを構成した曲げ部１１，１２を設け、特に右側面９と天面１０とを繋ぐ曲げ部１２は、傾斜面１３を有して構成している。
【００３１】
図２に示すように、加熱室３の外周には外箱２との間に空間部１４が形成されており、加熱室３下側の空間部１４には、高周波発生手段１５等の加熱制御用の電子部品や冷却用のファンが収容されている。食品の加熱手段の一つである高周波発生手段１５は、マグネトロン１６と、導波管１７と、回転アンテナ１８等が設けられており、マグネトロン１６より発生した高周波は、導波管１７内を伝送されて加熱室３内に放射される。回転駆動される電波撹拌用の回転アンテナ１８は、加熱室３に放射される高周波を加熱室３全体に拡散させることによって、高周波の定在波が固定されるのを防いで、食品の加熱ムラを抑えるように作用する。
【００３２】
なお、左側面８と天面１０とはフランジＡ８０により接合されている。曲げ部１１は天面１０側に構成させ、曲げ部１１の曲りが終了した箇所にフランジＡ８０を位置させている。
【００３３】
また、左側面８と底板７とはフランジＢ８１により接合され、右側面９と底板７とはフランジＣ８２により接合されている。それぞれの曲げ部１１は底板７側に形成している。フランジＡ８０，フランジＢ８１，フランジＣ８２はそれぞれ曲げ部１１の曲りが終了した箇所に配置しているので、接合部に形成される隙間に汚れ等が付着しても、拭き取りやすい。
【００３４】
また、右側面９と天面１０とは、曲げ部１２を介して一体で折り曲げて形成しているの
で、接合部がなく、更にお手入れ除しやすい。
【００３５】
加熱室３右側の空間部１４には、扉５（図１参照）を閉じた時に動作させて高周波発生手段１５の運転を可能とする安全スイッチ１９を配置している。安全スイッチ１９は図３に示すように、扉５上部に設けられたピンＡ２０により動作する第一インターロックスイッチ２１と、扉５上部に設けられたピンＢ２２により動作する第二インターロックスイッチ２３とを備えている。
【００３６】
ピンＡ２０の動きは、スイッチ取付板２６に設けられたヒンジＡ２７を支点にレバーＡ２８を回動し、第一インターロックスイッチ２１とモニタースイッチ２９を動作させる。
【００３７】
また、ピンＢ２２の動きは、スイッチ取付板２６に設けられたヒンジＢ３０を支点にレバーＢ３１を回動し、第二インターロックスイッチ２３を動作させる。
【００３８】
図１に示す前板６右上部の曲げ部１２外側には、図３に示すピンＡ２０とピンＢ２２とがそれぞれ移動可能に孔部Ａ２４と孔部Ｂ２５とが横に並べて設けられている。
【００３９】
次に、本発明の高周波加熱装置の回路構成について、図４に基づいて説明する。電源３２よりの入力は第一インターロックスイッチ２１と、第二インターロックスイッチ２３よりの信号により、プリント基板３３で制御されたリレー３４よりインバータ３５に供給され高圧電源となり、高周波発生手段１５により高周波が加熱室３に放射される。
【００４０】
また、モニタースイッチ２９は第一インターロックスイッチ２１が短絡故障した時にヒューズ３６をＯＦＦ状態にして高周波発生手段１５の高周波発振を停止するように働く。
【００４１】
次に、扉５（図１参照）の前板６に対向する位置に配された電波シール部の構成について図５に基づいて説明する。図５は、扉５を閉めた状態での電子レンジ１の前方上部の部分横断面図を示す。図５において、電波シール部４０は、金属板を絞り加工して形成した突出部４１と凹部４２、および前板６と対向した面を有し、凹部４２と突出部４１を繋ぐ平面部４３により構成している。
【００４２】
突出部４１は、加熱室３の天面１０と一定の隙間４４を形成するように加熱室３側に突出して構成され、凹部４２は、前板６と対向する溝４５を形成し、溝４５の深さは加熱室３に放射される高周波の周波数の約１／４の寸法に設定されている。
【００４３】
そして、加熱室３内に放射される高周波は、隙間４４と前板６と平面部４３との隙間により減衰しながら整えられ、溝４５に入る。この溝４５の底で反射して戻る高周波は、溝４５の入口部で位相が反転するため、打ち消し合い高周波の漏洩が抑えられる。
【００４４】
電波シール部４０は前板６の開口部端面４６に沿って全周に亘って構成されており、図５のＡ部が前板６のシール面となり、このシール面も開口部端面４６に沿って全周に構成されている。
【００４５】
溝４５の端部４７側には図６に示すように一定間隔のスリット４８が設けられ、周期構造体を形成している。これにより高周波の溝４５に沿った伝搬を抑制し、高周波の漏洩が一層防止される。
【００４６】
次に、前板６の右側上方の曲げ部１２周辺の構成について図７に基づいて説明する。図７のハッチング部がシール面５０となり電波シールにおけるチョーク構造の一部として働くエリアとなる。
【００４７】
そしてこのシール面５０は、前板６の開口部端面４６に沿って全周に配置される。したがって図７のように、曲げ部１２の傾斜面１３にも沿って構成されるので、前板６の外箱２の角部５１近傍に非シール部が広く形成される。この非シール部に孔部Ａ２４と孔部Ｂ２５を配置しているので、孔部Ａ２４、孔部Ｂ２５を配置するために前板６の幅を広げる必要がなくなる。したがって前板６の幅を最小限に小さくでき、電子レンジ１本体を小型化することができる。
【００４８】
なお、加熱室３の天面１０と平行に配されたシール面５０の第１の外側線５２と、加熱室３の右側面９と平行に配されたシール面５０の第２の外側線５３との延長交線と、曲げ部１２と平行に配された第３の外側線５４とで囲まれる領域５５に、孔部Ａ２４、孔部Ｂ２５を配置することが望ましい。
【００４９】
この領域５５は、電波シール性能に影響を与えることがなく、かつ最大限、前板６の幅Ｃ及び幅Ｄを小さくしても影響のない領域となる。
【００５０】
以上のように本実施の形態では、加熱室３の天面１０と右側面９とを緩やかに繋ぐ曲げ部１２および傾斜面１３を設けたので、天面１０と右側面９との直角な接合部がなくなり食材の破片などの塵がたまりにくくなる。また、この部位に布巾などのお手入れする際に、用具が隅まで届きやすくなるのでお手入れ性が向上する。
【００５１】
また、曲げ部１２によって曲げ部１２と外箱２との間の前板６の面積が広がり、この部位のシール面５０を除く非シール面の面積も広がる。ここに孔部を配置するので、孔部Ａ２４、孔部Ｂ２５を配置するので、前板の幅が小さくでき、本体を小型化することができる。この非シール面は傾斜面１３を設けたことにより、三角形状スペースを形成できたので、丸形状の孔部Ａ２４と、長方形の孔部Ｂ２５とを並べて配置するのに収まりがよい形状となっている。
【００５２】
なお、本実施の形態では加熱室の右上の曲げ部に孔部Ａ、孔部Ｂを設け、安全スイッチ等を配置する構成としたが、これらを左上の曲げ部に配置してもいいし、左右の曲げ部両方に配置してもよい。
【００５３】
また、本実施の形態では扉の開閉の方向を上下方向としたが、左右いずれかに扉開閉の支点を配置して横開きの扉としてもよい。この場合は、扉の稼働側と対向する前板の曲げ部に孔部Ａ、孔部Ｂを配置することになり、例えば加熱室の左側に扉の支点を設け、扉の右側が開閉する場合、加熱室の右上または左下の曲げ部に孔部Ａ、孔部Ｂを設け、安全スイッチ等を配置することになる。
【００５４】
（実施の形態２）
次に本実施の形態２に係る高周波加熱装置における、前板の曲げ部周辺の構成について図面を用いて詳細に説明する。図８は、本発明の実施の形態２における高周波加熱装置の前板の曲げ部周辺の部分拡大図である。なお、本実施の形態において、前述の実施の形態１と同様の構成や機能については、同じ符号を使い、発明のポイントでない点は説明を省略する。また、本実施の形態における、高周波加熱装置全体の構成は、図１〜図６に示した電子レンジ１の構成と同様である。
【００５５】
図８に示すように、本実施の形態２の曲げ部６０は、右側面９と天面１０とを繋ぐ一つの大きな円弧状の曲げにより構成している。したがって、シール面６１と、このシール面６１の第２の外側線６２も、大きな円弧状の形状となる。
【００５６】
この構成により、曲げ部６０が緩やかな曲面となるので、汚れが溜まりにくく、拭き掃除などが楽にできるので、お手入れ性が向上する。
【００５７】
また、シール面６１に対向する電波シール部（図示せず）の形状も緩やかな円弧で構成できるので、電波シールの難しい角部の処理を、直線部を緩やかに曲げることで構成できるので、設計が簡単になり、性能も向上できる。
【００５８】
（実施の形態３）
次に、本実施の形態３に係る高周波加熱装置における、前板の曲げ部周辺の構成について図面を用いて詳細に説明する。図９は、本発明の実施の形態３における高周波加熱装置の前板の曲げ部周辺の部分拡大図である。なお、本実施の形態において、前述の実施の形態１と同様の構成や機能については、同じ符号を使い、発明のポイントでない点は説明を省略する。また、本実施の形態における、高周波加熱装置全体の構成は、図１〜図６に示した電子レンジ１の構成と同様である。
【００５９】
図９に示すように、本実施の形態３の曲げ部７０は、右側面９上部に加熱室３側に膨らむ段差７１を設け、この段差７１は屈曲部７２により緩やかな曲面により形成するとともに、天面１０との接合は円弧部７３で緩やかに繋いでいる。
【００６０】
したがって、シール面７４と、このシール面７４の第２の外側線７５も、この段差７１に沿った形状となる。この段差７１を設けることにより前板６の幅Ｃ、Ｄを厚くすることなく、自由に孔部Ａ２４と、孔部Ｂ２５を配置するスペースを形成できる。
【００６１】
また、段差７１を緩やかに繋ぐ屈曲部７２と円弧部７３を設けることにより、汚れが溜まりにくく、拭き掃除などが楽にできるので、お手入れ性が向上する。
【００６２】
なお、本実施の形態では孔部Ａと孔部Ｂとを縦に配置したが、横長の段差を設けて孔部Ａと孔部Ｂとを横方向に配置してもよい。
【産業上の利用可能性】
【００６３】
以上のように、本発明の高周波加熱装置は、加熱室内のお手入れ性が良好でかつ、本体寸法を小さく抑えることができるので、高周波加熱の単機能の電子レンジだけでなく、例えばオーブン機能やグリル機能を備えた電子レンジや、スチーム機能を備えた電子レンジの用途に有効であり、家庭用、業務用を問わず広く利用することができる。
【符号の説明】
【００６４】
１  電子レンジ（高周波加熱装置）
２  外箱
３  加熱室
４  開口部
５  扉
６  前板
８  左側面
９  右側面
１０  天面
１１、１２、６０、７０  曲げ部
１４  空間部
１５  高周波発生手段
１９  安全スイッチ
２０  ピンＡ
２２  ピンＢ
２４  孔部Ａ
２５  孔部Ｂ
４０  電波シール部
４１  突出部
５０、６１，７４  シール面
５２  第１の外側線
５３、６２、７５  第２の外側線
５４  第３の外側線
【図１】
2014206338.tif 000003
【図２】
2014206338.tif 000004
【図３】
2014206338.tif 000005
【図４】
2014206338.tif 000006
【図５】
2014206338.tif 000007
【図６】
2014206338.tif 000008
【図７】
2014206338.tif 000009
【図８】
2014206338.tif 000010
【図９】
2014206338.tif 000011
【図１０】
2014206338.tif 000012
【図１１】
2014206338.tif 000013
【図１２】
2014206338.tif 000014